(57)【要約】    【課題】貯蔵容器を使用せず、水切れが良く、常に全面乾燥して、使用感が良好で、経済的なつり下げ式固形石けんであるとともに、メーカにとっては自社のブランド名を、使用者にとっては自分の名前を表示できるつり下げ可能な固形石けんを提供する。    【解決手段】固形石けん（１）と、該石けんに内挿され、つり下げるための帯状部材（２）とから成り、上記帯状部材（２）は固形石けん（１）から抜け止めされるとともに、固形石けん内に内挿固定され、固形石けん上部から突出する表示部（２３）には、上端近傍に係合部材（３）とその下方にメーカーブランド（４）及び所有者名（５）等が表示出来るようになっていることを特徴とする。【選択図】  図１
0003138860.tif 000002
【実用新案登録請求の範囲】
【請求項１】
固形石けん（１）と、該石けんに内挿され、つり下げるための帯状部材（２）とから成り、上記帯状部材（２）は固形石けん（１）から抜け止めされるとともに、固形石けん内に内挿固定され、固形石けん上部から突出する表示部（２３）には、上端近傍に係合部材（３）とその下方にメーカーブランド（４）及び所有者名（５）等が表示出来るようになっていることを特徴とするつり下げ可能な固形石けん。
【請求項２】
つり下げるための帯状部材（２）が伸縮可能である請求項１記載の固形石けん。
【請求項３】
上記帯状部材（２）の固定部（２２）が段付き又はスカート状の末広がり形状をなし、その端部が上記抜け止め部（２１）を構成する請求項１又は２記載のつり下げ可能な固形石けん。
【請求項４】
上記帯状部材（２）が石けん内部に広がるアンカー部分２４を備え、これにより石けん内部に抜け止め固定される請求項１又は２記載のつり下げ可能な固形石けん。
【請求項５】
固形石けんの厚み方向に２分した下半分（１１）を石鹸液で凝固造形後、該下半分（１１）上に石けんつり下げ用の帯状部材（２）の下方部を載置し、この上に上半分（１２）を石鹸液で凝固造形して帯状部材（２）を凝固した上下半分（１１）、（１２）で狭持してなる固形石けんであって、上記帯状部材（２）の下端は固形石けんの底部から突出して抜け止めされる一方、固形石けん上部から突出する上方部分は、上端近傍に係合部材（３）とその下方にメーカーブランド（４）及び所有者名（５）等が表示出来るようになっていることを特徴とするつり下げ可能な固形石けん。
【考案の詳細な説明】
【技術分野】
【０００１】
本考案はつり下げ可能な固形石けんに関する物である。
【背景技術】
【０００２】
従来、手洗い洗顔及び入浴時に於ける石けんは、一般に容器から手に取って使用し、容器に戻して使用していた。
【０００３】
他方、石鹸の中にプラスチック性の浮きを入れ、そこから紐やプラスチック性の吊り下げられるようにした物を出して、石鹸を吊り下げられるようにし、石鹸の中のプラスチック性の物には、浮力を生じさせて石鹸を沈まないようにする工夫（特許文献１）、または網の袋に石けんを入れ、これを吊るして使用する工夫（特許文献２）が知られている。
【０００４】
【特許文献１】実開平０６−４５５９１号公報
【特許文献２】特開２００６−５１０４９号公報
【考案の開示】
【考案が解決しようとする課題】
【０００５】
上記特許文献に記載の工夫により、石けんを容器に入れる場合の欠点、水切れが悪く、容器に接した箇所は柔らかくなり消耗も早く、握るとぬめりで不快な感触を味わい、消耗して薄くなった小片は容器の底で自滅する運命となる、と言う問題を解消できるものの、ネット内に石けんを収納する場合はネットを介して石鹸を移行させる手洗いには使用可能であるが、体洗いには不向きである。ネットが肌に直接当たり刺激が強過ぎて肌を荒らし、その上、石けんと網との間に汚れが付着したまま落ちず、却って清潔が保てぬと言う問題点を有している。他方、石けん内に浮きを内装する工夫は内装技術が特殊で、石けんに十分な浮力を与えるほど大きな浮きを内装することは困難であり、使用途中で浮きと石鹸とが分離するという不具合が生じる。
【０００６】
また、通常石けんの表面にはメーカー名やブランドが浮き彫りされており、石けんの内容成分を使用者が把握できるようになっているが、使用とともに浮き彫りが消え、どこ会社製のなんというブランドであったか、分からなくなる。他方、貯蔵容器を使用しなければ石けんの所有者が誰であるか判別できず、学校生活など多くの人との共同生活場所では他人の使用した石けんを使用せざるをえないという衛生面での問題がある。
【０００７】
本考案は、従来の技術的工夫の有する問題点を無くし、貯蔵容器を使用せず、水切れが良く、常に全面乾燥して、使用感が良好で、経済的なつり下げ式固形石けんであるとともに、メーカにとっては自社のブランド名を、使用者にとっては自分の名前を表示できるつり下げ可能な固形石けんを提供しようとするものである。
【課題を解決するための手段】
【０００８】
上記の目的を達成するために本考案に係るつり下げ可能な固形石けんは、固形石けん（１）と、該石けんに内挿され、つり下げるための帯状部材（２）とから成り、上記帯状部材（２）は固形石けん（１）から抜け止めされるとともに、固形石けん内に内挿固定され、固形石けん上部から突出する表示部（２３）には、上端近傍に係合部材（３）とその下方にメーカーブランド（４）及び所有者名（５）等が表示出来るようになっていることを特徴とする。
【考案の効果】
【０００９】
本考案によれば、貯蔵容器を使用しないので、水切れが良く、常に全面乾燥して、使用感が良好となる。また、メーカにとっては自社のブランド名を、使用者にとっては自分の名前をつり下げるための帯状部材の表示部に表示できるので、固形石けんの使い勝手を向上させることができる。
【００１０】
さらに、石けんの帯状部材を伸縮性のあるゴム様部材で構成することにより、吊下げた状態でも使用できるようになるので（図4参照）、便利である。また、上記帯状部材（２）の固定部（２２）が段付き又はスカート状の末広がり形状をなし、その端部が上記抜け止め部（２１）を構成するか（図１）、石けん内部に広がってアンカー部分（２４）を構成する（図３）と、帯状部材と石けんとの結合が万全となり、石けんが抜け落ちることがなくなる。
【考案を実施するための最良の形態】
【００１１】
本考案に係る石けんの好ましい形態は次の通りである。
本考案に係る固形石けんは、図４に示すように、厚み方向に２分する下半分（１１）を石鹸液で凝固造形後、該下半分（１１）上に石けんつり下げ用の帯状部材（２）の下方部２２を載置し、この上に上半分（１２）を石鹸液で凝固造形して帯状部材（２）を凝固した上下半分（１１）、（１２）で狭持してなる固形石けん１を製造する。なお、上下半分（１１）、（１２）の造形は中空型に帯状部材（２）をセットして同時に行うようにしてもよい。
【００１２】
この固形石けん１は図１に示すように、上記帯状部材（２）の下端は固形石けん（１）の底部から突出して抜け止め部（２１）を構成する一方、固形石けん上部から突出する上方部分（２３）は、上端近傍に係合部材（３）とその下方にメーカーブランド（４）及び所有者名（５）等が表示出来るようになっている。
【００１３】
上記帯状部材２は、例えばポリウレタン製部材等で、湯や水に濡れても柔軟性及び弾力性に変りなく、使用の際は女性や幼児の柔肌に接触しても何ら違和感がないものを使用するのが望ましく、吊り下げたまま、使用できるように伸縮性のあるゴム様部材が好ましい。また、帯状部材（２）の固定部（２２）が段付き又はスカート状の末広がり形状をなし、その端部が上記抜け止め部（２１）を構成するようにすることもできる。
【００１４】
帯状部材（２）の抜け止め部（２１）と固定部（２２）は図３に示すように、ネット部材で、石けん内部に広がるアンカー部分（２４）を形成するようにしてもよい。
【００１５】
本考案によれば、図４に示すように、洗い場に各個人のつり下げ可能な石けんをつり下げて保管できるので、水切れが良く、常に全面乾燥して、使用感が良好となる。また、使用により石けん表面に浮き彫りされたメーカ名が見えなくなっても帯状部材には自社のブランド名を常に保持できるので、宣伝効果が持続する。使用者にとっては自分の名前をつり下げるための帯状部材の表示部に表示できるので、常に自分のものを使用することができ、衛生的である。また、帯状部材を伸縮可能にすると、手洗い時の固形石けんの使い勝手を向上させることができる。
【図面の簡単な説明】
【００１６】
【図１】本考案に係るつり下げ可能な固形石けんの第１具体例を示す斜視図。
【図２】本考案に係るつり下げ可能な固形石けんの製造工程を示す斜視図。
【図３】本考案に係るつり下げ可能な固形石けんの第２具体例を示す斜視図。
【図４】本考案のつり下げ可能な固形石鹸の使用状態説明図。
【符号の説明】
【００１７】
１      つり下げ可能な固形石鹸
１１    下半分
１２    上半分
２      帯状部材
２１    抜け止め部
２２    固定部
２３    表示部
２４    アンカー部
【図１】
0003138860.tif 000003
【図２】
0003138860.tif 000004
【図３】
0003138860.tif 000005
【図４】
0003138860.tif 000006